(57)【特許請求の範囲】
【請求項１】
断面が台形に形成されるとともに同一高さに形成された２個の筒体により構成された土台部を備え、
一方の前記筒体は、前記台形における長底辺側の壁と両方の斜辺側の壁との各上端に、該筒体の高さの略１／２まで形成された２つの切欠がそれぞれ設けられ、
他方の前記筒体は、前記台形における長底辺側の壁と両方の斜辺側の壁との各下端に、該筒体の高さの略１／２まで形成された２つの切欠がそれぞれ設けられ、
前記土台部は、前記一方の筒体に設けられた前記長底辺側の壁の切欠、前記斜辺側の壁の長底辺側の切欠、及び、前記斜辺側の壁の反長底辺側の切欠に対し、前記他方の筒体に設けられた両斜辺側の壁の反長底辺側の切欠、両斜辺側の壁の長底辺側の切欠、及び、長底辺側の壁の切欠をそれぞれ係合させることにより、各筒体の前記台形における長底辺の両側に断面三角形の筒体が形成されるように構成されている
簡易トイレ。
【請求項２】
少なくとも一方の前記筒体は、一方の前記斜辺側の壁における２つの前記切欠の間に、下端に寄せて設けられた略逆Ｕ字状の切れ目を有し、
他方の前記斜辺側の壁における２つの前記切欠の間に、下端に寄せて設けられた略水平な切れ目を有し、
前記略逆Ｕ字状の切れ目の内側に形成された舌片を、その根元で他方の前記斜辺側の壁側に折り曲げ、その先端を前記略水平な切れ目に挿入することにより、前記土台部の内部に底部を形成するように構成されている
請求項１記載の簡易トイレ。
【請求項３】
前記土台部は、いずれか一方の前記筒体を断面が三角形の筒体に置き換えてなり、前記台形の長底辺及び２つの斜辺に代えて、該三角形の３辺を用いるように構成されている
請求項１又は２記載の簡易トイレ。
【請求項４】
前記土台部は、いずれか一方の前記筒体を断面が矩形の筒体に置き換えてなり、前記台形の長底辺及び２つの斜辺に代えて、該矩形の互いに隣接する３辺を用いるように構成されている
請求項１又は２記載の簡易トイレ。
【発明の詳細な説明】
【技術分野】
【０００１】
本発明は、段ボール等のシート材からなる部品を組み立てることにより構成される簡易トイレに関するものである。
【背景技術】
【０００２】
従来の簡易トイレとしては、特許文献１に記載された組み立て式簡易便器を例示する。この簡易便器は、段ボールを用いて構成されており、図１６に示すように、角筒体９１の筒内に、分解可能な井桁構成体９２を嵌め入れて便器の土台部を構成するという手段を採用している。この簡易トイレは、このように、簡易便器の補強手段として、井桁構成体９２を採用することにより、強度的にもサイズ的にも十分に大人の用に供することができるものを提供することを目的としている。
【先行技術文献】
【特許文献】
【０００３】
【特許文献１】特開平９−２８６１８号公報
【発明の概要】
【発明が解決しようとする課題】
【０００４】
ところが、土台部の井桁構成体９２は４枚の補強板９３ａ〜９３ｄからなるため、部品点数が増えるとともに、組み立てに手間が掛かるという課題がある。また、井桁構成体９２は角筒体９１に挿入されているだけであり、両者は接続されていないため、強度に欠けるという課題がある。さらに井桁構成体９２を構成する４枚の補強板９３ａ〜９３ｄのサイズは、該各補強板が対峙する角筒体９１の各側壁９１ａ〜９１ｄと略等しいサイズに構成する必要があるため、土台部を構成するために、角筒体９１の２倍の段ボールが必要になり、コストが掛かるという課題がある。
【課題を解決するための手段】
【０００５】
前記課題を解決するために、本発明の簡易トイレは、
断面が台形に形成されるとともに同一高さに形成された２個の筒体により構成された土台部を備え、
一方の前記筒体は、前記台形における長底辺側の壁と両方の斜辺側の壁との各上端に、該筒体の高さの略１／２まで形成された２つの切欠がそれぞれ設けられ、
他方の前記筒体は、前記台形における長底辺側の壁と両方の斜辺側の壁との各下端に、該筒体の高さの略１／２まで形成された２つの切欠がそれぞれ設けられ、
前記土台部は、前記一方の筒体に設けられた前記長底辺側の壁の切欠、前記斜辺側の壁の長底辺側の切欠、及び、前記斜辺側の壁の反長底辺側の切欠に対し、前記他方の筒体に設けられた両斜辺側の壁の反長底辺側の切欠、両斜辺側の壁の長底辺側の切欠、及び、長底辺側の壁の切欠をそれぞれ係合させることにより、各筒体の前記台形における長底辺の両側に断面三角形の筒体が形成されるように構成されている。
【０００６】
この構成によれば、各前記筒体の前記台形における長底辺の両側に前記断面三角形の筒体が形成されるので、強度を向上させることができ、利用者の体重が掛かっても座屈などの変形が生じ難い。また、２つの前記筒体を組み合わせるだけで、前記土台部を構成することができるので、組立や分解に手間が掛からない。さらに、断面が台形に形成された２つの前記筒体によって前記土台部を構成しているので、断面が矩形の角筒体と井桁構成体で構成された従来の土台部と同じ横幅及び奥行きに形成する場合に、材料の使用量を低減することができ、コストを低減できる。特に、利用者が座ったり、立ち上がったり、踏ん張ったりし易くするためには、便座を支える土台部の左右に利用者の足が配置できることが好ましく、そのため土台部は左右方向を幅狭に形成することが好ましい。前記土台部は、前記断面三角形の筒体を側面の前後に備えており、それらの間に上下方向に延びる凹部が形成されるので、断面が矩形の角筒体に形成された従来の土台部よりも、足を配置する空間をより広く確保できる。
【０００７】
前記簡易トイレとしては、
少なくとも一方の前記筒体は、一方の前記斜辺側の壁における２つの前記切欠の間に、下端に寄せて設けられた略逆Ｕ字状の切れ目を有し、
他方の前記斜辺側の壁における２つの前記切欠の間に、下端に寄せて設けられた略水平な切れ目を有し、
前記略逆Ｕ字状の切れ目の内側に形成された舌片を、その根元で他方の前記斜辺側の壁側に折り曲げ、その先端を前記略水平な切れ目に挿入することにより、前記土台部の内部に底部を形成するように構成されている態様を例示する。
【０００８】
この構成によれば、材料を追加することなく、前記土台部の内部に前記底部を形成することができ、該底部により、便を収容する蓄便袋を支持することができる。
【０００９】
前記土台部としては、特に限定されないが、次の態様を例示する。
（ａ）いずれか一方の前記断面が台形に形成された筒体を、断面が三角形に形成された筒体に置き換えてなり、前記台形の長底辺及び２つの斜辺に代えて、該三角形の３辺を用いるように構成されている態様。
（ｂ）いずれか一方の前記断面が台形に形成された筒体を、断面が矩形に形成された筒体に置き換えてなり、前記台形の長底辺及び２つの斜辺に代えて、該矩形の互いに隣接する３辺を用いるように構成されている態様。
【００１０】
この構成によっても、前記断面が台形に形成された筒体を用いているのと同様の作用効果を得ることができる。
【発明の効果】
【００１１】
本発明に係る簡易トイレによれば、十分な強度を備えるとともに組立や分解に手間が掛からないという優れた効果を奏する。
【図面の簡単な説明】
【００１２】
【図１】本発明を具体化した第一実施形態に係る簡易トイレの平面、正面及び右側面を表した斜視図である。
【図２】同簡易トイレの底面、背面及び左側面を表した斜視図である。
【図３】同簡易トイレの一方の筒体としての土台の展開図である。
【図４】同簡易トイレの他方の筒体としての土台の展開図である。
【図５】同簡易トイレの蓋の展開図である。
【図６】一方の筒体としての土台の折り畳み方を示す底面面図であり、（ａ）折り畳む前の状態、（ｂ）は折り畳んだ後の状態をそれぞれ示す図である。
【図７】同簡易トイレの平面、正面及び右側面を表した分解斜視図である。
【図８】同簡易トイレの使用状態を示す斜視図である。
【図９】本発明を具体化した第二実施形態に係る簡易トイレの底面、背面及び左側面を表した分解斜視図である。
【図１０】同簡易トイレの底面図である。
【図１１】同簡易トイレの一方の筒体としての土台の展開図である。
【図１２】同簡易トイレの他方の筒体としての土台の展開図である。
【図１３】同簡易トイレの蓋の展開図である。
【図１４】同簡易トイレに使用する蓄便袋の変更例を示す図である。
【図１５】同簡易トイレの土台部の変更例を示す底面図である。
【図１６】従来の簡易トイレの土台部の平断面図である。
【発明を実施するための形態】
【００１３】
図１〜図８は本発明を具体化した第一実施形態の簡易トイレを示している。この簡易トイレ１は、段ボールや樹脂シート等の折曲可能な板材で形成される、折り畳み可能なものであり、図１及び図２に示すように、土台部２と、蓋３とにより構成されている。図８に示すように、ポリエチレンフィルム等で形成された蓄便袋４の底側を簡易トイレ１の内側に配置するとともに、該蓄便袋４の開口側を裏返して本物品の外側に被せることにより使用する。段ボールとしては、紙で形成されたもの、樹脂でコーティングされた紙で形成されたもの、樹脂で形成されたもの等を例示する。
【００１４】
土台部２は、土台２ａ及び土台２ｂにより構成されている。土台２ａ及び土台２ｂは、同一高さに形成されるとともに断面が等脚台形に形成された筒体となっており、該筒体は、同台形における長底辺側の壁１１と、短底辺側の壁１２と、一対の斜辺側の壁１３，１３とにより構成されている。長底辺側の壁１１及び短底辺側の壁１２の幅方向中央には、それぞれ上下方向に延びるミシン目線１１ｍ，１２ｍが設けられている。一方の筒体としての土台２ａは、前記等脚台形における長底辺側の壁１１と両方の斜辺側の壁１３，１３との各上端に、該筒体の高さの略１／２まで形成された２つの切欠１１ａ，１１ａ，１３ａ，１３ｂ，１３ａ，１３ｂがそれぞれ設けられている。土台２ａの上端には、４つの差込片１４ａ，１４ａ，１４ｂ，１４ｂが設けられている。他方の筒体としての土台２ｂは、前記等脚台形における長底辺側の壁１１と両方の斜辺側の壁１３との各下端に、該筒体の高さの略１／２まで形成された２つの切欠１１ｃ，１１ｃ，１３ｃ，１３ｄ，１３ｃ，１３ｄがそれぞれ設けられている。土台２ｂの上端には２つの差込片１４ｃ，１４ｃが設けられている。本例では、土台２ａの短底辺側の壁１２は、土台２ｂのそれよりも幅狭に形成されており、土台２ａの長底辺側の壁１１は、土台２ｂのそれよりも幅広に形成されている。土台２ａ及び土台２ｂは、それぞれの展開図（図３、図４参照）に示す各山折り線１７を山折りに折り曲げ、一端側の糊代片１８を他端側に接着することにより形成されている。
【００１５】
この土台部２は、一方の筒体としての土台２ａに設けられた前記長底辺側の壁１１の切欠１１ａ、前記斜辺側の壁１３の長底辺側の切欠１３ａ、及び、前記斜辺側の壁１３の反長底辺側の切欠１３ｂに対し、他方の筒体としての土台２ｂに設けられた両斜辺側の壁１３の反長底辺側の切欠１３ｄ、両斜辺側の壁１３の長底辺側の切欠１３ｃ、及び、長底辺側の壁１１の切欠１１ｃをそれぞれ係合させることにより、各筒体の前記台形における長底辺の両側に断面三角形の筒体２０（図２参照）が形成されるように構成されている。
【００１６】
蓋３は、後側よりも前側が幅狭な略台形に形成されており、中央に貫通穴３ａが設けられている。蓋の裏面には、土台２ａ及び土台２ｂの差込片１４ａ〜１４ｃがそれぞれ係合する差込孔１９ａ〜１９ｃが設けられている。蓋３は、その展開図（図５参照）に示す中央の半切り線２１（段ボールの途中までの深さに達する切り線）を山折りに折り曲げるとともに、各凸部３ｂ，３ｃの根元側の半切り線を山折りに折り曲げ、各凹部３ｄ，３ｅに嵌合させることにより形成されている。
【００１７】
本例の簡易トイレ１を組み立てるには、前述のとおり土台部２を形成するとともに、その土台部２の上端部の差込片１４ａ〜１４ｅを、蓋の底面の差込孔１９ａ〜１９ｅにそれぞれ差し込むことにより、組み立てられている（図７参照）。
【００１８】
また、本例の簡易トイレ１を折り畳むには、土台２ａ、土台２ｂ及び蓋３に分解するとともに、土台２ａ及び土台２ｂのミシン目線１１ｍ，１２ｍのところをそれぞれ谷折りすることにより偏平にする。図６は、土台２ａの折り畳み方を示す図である。土台２ｂの折り畳み方もこれと同様である。
【００１９】
以上のように構成された本例の簡易トイレ１によれば、各筒体の前記台形における長底辺の両側に断面三角形の筒体２０（図２参照）が形成されるので、強度を向上させることができ、利用者の体重が掛かっても座屈などの変形が生じ難い。また、２つの筒体としての土台２ａ，２ｂを組み合わせるだけで、土台部２を構成することができるので、組立や分解に手間が掛からない。さらに、断面が台形に形成された２つの筒体としての土台２ａ，２ｂによって土台部２を構成しているので、断面が矩形の角筒体と井桁構成体で構成された従来の土台部と同じ横幅及び奥行きに形成する場合に、材料の使用量を低減することができ、コストを低減できる。特に、利用者が座ったり、立ち上がったり、踏ん張ったりし易くするためには、土台部２の左右に利用者の足が配置できることが好ましく、そのため土台部２は左右方向を幅狭に形成することが好ましい。本例の土台部２は、前記断面三角形の筒体２０を側面の前後に備えており、それらの間に上下方向に延びる凹部２２（図２参照）が形成されるので、断面が矩形の角筒体に形成された従来の土台部よりも、足を配置する空間をより広く確保できる。
【００２０】
次に、図９〜図１３は本発明を具体化した第二実施形態を示している。この簡易トイレ３１は、以下に示す点において、主に第一実施形態と相違している。従って、同実施形態と共通する部分については、同一符号を付することにより重複説明を省く。
【００２１】
本例の簡易トイレ３１では、筒体としての土台２ａは、図１１に示すように、一方の前記斜辺側の壁１３における２つの切欠１３ａ，１３ｂの間に、下端に寄せて設けられた略逆Ｕ字状の切れ目３２を有し、他方の前記斜辺側の壁１３における２つの切欠１３ａ，１３ｂの間に、下端に寄せて設けられた略水平な切れ目３３を有しており、略逆Ｕ字状の切れ目３２の内側に舌片３４が形成されている。舌片３４の先端には、その両側に張り出す係止凸部３４ａが設けられている。そして、舌片３４を、その根元で他方の前記斜辺側の壁側に折り曲げ、係止凸部３４ａが舌片３４の両側に張り出さないように折り畳んでおき、舌片３４の先端を前記略水平な切れ目３３に挿入し、折り畳んでおいた係止凸部３４ａを元に戻すことにより、土台部２の内部に底部３５を形成するように構成されている（図９及び図１０参照）。これと同様に、図１２に示すように、土台２ｂも切れ目３２，３３を有し、切れ目３２の内側に形成された舌片３４を切れ目３３に挿入することにより、底部３５を形成するように構成されている。
【００２２】
また、土台ａ及び土台ｂの上端には、図９、図１１及び図１２に示すように、差込片１４ｄ，１４ｅが設けられている。蓋３には、図９及び図１３に示すように、差込片１４ｄ，１４ｅがそれぞれ係合する２つの差込孔１９ｄ，１９ｅが設けられている。
【００２３】
本例の簡易トイレ３１によれば、第一実施形態と同様の効果に加え、材料を追加することなく、土台部２の内部に前記底部３５を形成することができ、該底部３５により、便を収容する蓄便袋４を支持することができる。
【００２４】
なお、本発明は前記実施形態に限定されるものではなく、例えば以下のように、発明の趣旨から逸脱しない範囲で適宜変更して具体化することもできる。
（１）蓄便袋４を、図１４に示す蓄便袋４１に変更すること。この蓄便袋４１は、合成樹脂製の筒状フィルムの筒長方向（同図（ａ）の上下方向）における一端側（同図（ａ）の下端側）に筒幅方向の全幅に渡って形成された底シール部４２ａを有する袋体４２と、前記筒状フィルムの他端側（同図（ａ）の上端側）に、筒幅方向の全幅に渡るミシン目４３を介して該袋体に一体的に形成された紐部４４とを有している。袋体４２は、前記筒長方向における途中部に、前記筒長方向に延びる長穴４５が形成されている。長穴４５は、その開口縁又は開口縁の周囲がシール部により補強されている。紐部４４は、前記筒幅方向に延びる複数のシール部４４ａが形成されることにより補強されている。この蓄便袋４１を使用するには、ミシン目４３で袋体４２から紐部４４を切り離す（同図（ｂ）参照）。次いで、紐部４４の長さ方向の略中央が袋体４２の長穴４５に位置するようにして、紐部４４を該長穴４５に挿通し緩く結んでおく（同図（ｃ）参照）。次いで、袋体４２の底シール部側を、簡易トイレ１（３１）の蓋３の貫通穴３ａを介して土台部２の中に押し込んで拡げるとともに、該袋体４２の開口部（前記ミシン目側の部分）を開いて外側に折り返し、該折り返し部位を簡易トイレ１（３１）の蓋３及び土台部２に被せる。そして、用便後は、袋体４２を簡易トイレ１（３１）から取り外し、適宜便に便凝固剤を振り掛け処理し、紐部４４の両端を手で持って袋体４２の外周に該紐部４４を巻き付けて縛る（同図（ｄ）参照）。すると、袋体４２の開口部を密閉できる。
【００２５】
（２）第二実施形態において、略逆Ｕ字状の切れ目３２と略水平な切れ目３３を筒体２ａ，２ｂのいずれか一方にのみ設けるようにすること。
【００２６】
（３）土台部２を次の態様に変更すること。
（３−１）断面が台形に形成された筒体としての土台２ａ，２ｂのいずれか一方を、断面が矩形に形成された筒体に置き換えてなり、前記台形の長底辺及び２つの斜辺に代えて、該矩形の互いに隣接する３辺を用いるように構成されている態様にすること。図１５（ａ）は、土台２ａを、断面が四角形に形成された筒体５２に置き換えた例を示している。なお、同図（ａ）（ｂ）は、土台２ａと筒体５２の位置関係を示す図であり、両筒体を組み合わせるための切欠部等の図示を省略している。
（３−２）断面が台形に形成された筒体としての土台２ａ，２ｂのいずれか一方を、断面が三角形に形成された筒体に置き換えてなり、前記台形の長底辺及び２つの斜辺に代えて、該三角形の３辺を用いるように構成されている態様にすること。図１５（ｂ）は、土台２ｂを、断面が三角形に形成された筒体５１に置き換えた例を示している。
【符号の説明】
【００２７】
１    簡易トイレ
２    土台部
２ａ〜ｂ  土台
３    蓋
３ａ  貫通穴
３ｂ〜ｃ  凸部
３ｄ〜ｅ  凹部
４    蓄便袋
１１    長底辺側の壁
１１ａ，ｃ  切欠
１１ｍ  ミシン目線
１２    短底辺側の壁
１２ｍ  ミシン目線
１３    斜辺側の壁
１３ａ〜ｄ  切欠
１４ａ〜ｅ  差込片
１７    山折り線
１８    糊代片
１９ａ〜ｅ  差込孔
２０    筒体
２１    半切り線
２２    凹部
３１    簡易トイレ
３２    切れ目
３３    切れ目
３４    舌片
３４ａ  係止凸部
３５    底部
４１    蓄便袋
４２    袋体
４２ａ  底シール部
４３    ミシン目
４４    紐部
４４ａ  シール部
４５    長穴
５１    筒体
５２    筒体
【図１】
0006469433.tif 000002
【図２】
0006469433.tif 000003
【図３】
0006469433.tif 000004
【図４】
0006469433.tif 000005
【図５】
0006469433.tif 000006
【図６】
0006469433.tif 000007
【図７】
0006469433.tif 000008
【図８】
0006469433.tif 000009
【図９】
0006469433.tif 000010
【図１０】
0006469433.tif 000011
【図１１】
0006469433.tif 000012
【図１２】
0006469433.tif 000013
【図１３】
0006469433.tif 000014
【図１４】
0006469433.tif 000015
【図１５】
0006469433.tif 000016
【図１６】
0006469433.tif 000017